(57)【要約】【課題】記録材上に形成される画像の像密度に起因して起こりうる画像の形成位置のずれを抑制可能な画像形成装置を提供する。【解決手段】符号５Ｃに示すように画像データの計数値が大きい場合（像密度が予め定められた像密度よりも大きい場合）、水平同期信号カウント設定部にて、水平同期信号の出力タイミングを早める設定がなされる。これにより、符号５Ｄに示すように、水平同期信号生成部から実際に出力される水平同期信号の出力間隔が小さくなる。一方、符号５Ｅに示すように計数値が小さい場合（像密度が予め定められた像密度よりも小さい場合）は、水平同期信号カウント設定部にて、水平同期信号の出力タイミングを遅らせる設定がなされる。これにより、符号５Ｆに示すように、水平同期信号生成部から実際に出力される水平同期信号の出力間隔が大きくなる。【選択図】図５
2013195693.tif 000002
【特許請求の範囲】
【請求項１】
記録材に形成される画像の画像情報を取得する画像情報取得手段と、
前記画像情報取得手段により取得された前記画像情報を解析し、当該画像情報に基づき形成される画像の像密度に関する情報を取得する密度情報取得手段と、
前記画像情報取得手段により取得された前記画像情報に基づき、回転駆動している像保持体に対する露光を行う露光手段と、
前記密度情報取得手段により取得された前記像密度に関する情報に基づき、前記露光手段が露光を行う際の露光周期を設定する設定手段と、
を備える画像形成装置。
【請求項２】
前記設定手段は、前記密度情報取得手段により取得された前記像密度に関する情報により特定される像密度が予め定められた像密度よりも大きい場合には、当該像密度が当該予め定められた像密度よりも小さい場合に比べて前記露光周期が短くなるように当該露光周期を設定することを特徴とする請求項１記載の画像形成装置。
【請求項３】
前記像保持体の回転方向において前記露光手段よりも上流側に配置され、当該像保持体を帯電させる帯電手段と、
前記像保持体の回転方向において前記露光手段よりも下流側に配置され、当該露光手段により当該像保持体上に形成された潜像を現像する現像手段と、
前記現像手段による前記現像により前記像保持体上に形成された画像を、予め定められた転写部にて、記録材又は当該記録材への像の転写を行う転写部材に対して転写する転写手段と、
を更に備え、
前記設定手段は、前記帯電手段が前記帯電を行う際の帯電電圧に関する情報および／または前記転写部に供給される転写電流に関する情報も加味して、前記露光周期を設定することを特徴とする請求項１又は２に記載の画像形成装置。
【請求項４】
前記画像形成装置の内部の環境に関する情報である環境情報を取得する環境情報取得手段を更に備え、
前記設定手段は、前記環境情報取得手段により取得された前記環境情報も加味して、前記露光周期を設定することを特徴とする請求項１乃至３の何れかに記載の画像形成装置。
【請求項５】
前記像保持体上に形成された画像が転写される記録材の幅に関する情報を取得する幅情報取得手段を更に備え、
前記密度情報取得手段は、前記幅情報取得手段により取得された前記幅に関する情報も加味して前記画像情報を解析し、前記像密度に関する情報を取得することを特徴とする請求項１乃至４の何れかに記載の画像形成装置。
【発明の詳細な説明】
【技術分野】
【０００１】
本発明は、画像形成装置に関する。
【背景技術】
【０００２】
特許文献１には、印字率算出手段が算出した印字率に対応して補正値記憶手段から読み出された印字率補正値により、ズレ量算出手段が算出した各色毎のズレ量を補正する色ズレ補正手段を備えた画像形成装置が開示されている。
特許文献２には、像担持体に形成される画像の所定のライン数毎の像形密度を算出し、かつ、所定のライン数毎の像形密度に基づいて回転速度情報を補正する画像形成装置が開示されている。
【先行技術文献】
【特許文献】
【０００３】
【特許文献１】特開２００６−１５４０７２号公報
【特許文献２】特開２００９−１５００３号公報
【発明の概要】
【発明が解決しようとする課題】
【０００４】
本発明の目的は、記録材上に形成される画像の像密度に起因して起こりうる画像の形成位置のずれを抑制可能な画像形成装置を提供することにある。
【課題を解決するための手段】
【０００５】
請求項１に記載の発明は、記録材に形成される画像の画像情報を取得する画像情報取得手段と、前記画像情報取得手段により取得された前記画像情報を解析し、当該画像情報に基づき形成される画像の像密度に関する情報を取得する密度情報取得手段と、前記画像情報取得手段により取得された前記画像情報に基づき、回転駆動している像保持体に対する露光を行う露光手段と、前記密度情報取得手段により取得された前記像密度に関する情報に基づき、前記露光手段が露光を行う際の露光周期を設定する設定手段と、を備える画像形成装置である。
請求項２に記載の発明は、前記設定手段は、前記密度情報取得手段により取得された前記像密度に関する情報により特定される像密度が予め定められた像密度よりも大きい場合には、当該像密度が当該予め定められた像密度よりも小さい場合に比べて前記露光周期が短くなるように当該露光周期を設定することを特徴とする請求項１記載の画像形成装置である。
請求項３に記載の発明は、前記像保持体の回転方向において前記露光手段よりも上流側に配置され、当該像保持体を帯電させる帯電手段と、前記像保持体の回転方向において前記露光手段よりも下流側に配置され、当該露光手段により当該像保持体上に形成された潜像を現像する現像手段と、前記現像手段による前記現像により前記像保持体上に形成された画像を、予め定められた転写部にて、記録材又は当該記録材への像の転写を行う転写部材に対して転写する転写手段と、を更に備え、前記設定手段は、前記帯電手段が前記帯電を行う際の帯電電圧に関する情報および／または前記転写部に供給される転写電流に関する情報も加味して、前記露光周期を設定することを特徴とする請求項１又は２に記載の画像形成装置である。
請求項４に記載の発明は、前記画像形成装置の内部の環境に関する情報である環境情報を取得する環境情報取得手段を更に備え、前記設定手段は、前記環境情報取得手段により取得された前記環境情報も加味して、前記露光周期を設定することを特徴とする請求項１乃至３の何れかに記載の画像形成装置である。
請求項５に記載の発明は、前記像保持体上に形成された画像が転写される記録材の幅に関する情報を取得する幅情報取得手段を更に備え、前記密度情報取得手段は、前記幅情報取得手段により取得された前記幅に関する情報も加味して前記画像情報を解析し、前記像密度に関する情報を取得することを特徴とする請求項１乃至４の何れかに記載の画像形成装置である。
【発明の効果】
【０００６】
請求項１の発明によれば、記録材上に形成される画像の像密度に起因して起こりうる画像の形成位置のずれを抑制可能な画像形成装置を提供することができる。
請求項２の発明によれば、像密度が大きい場合に起こりうる、記録材上での画像の形成ピッチの拡がりを抑制することができるようになる。
請求項３の発明によれば、画像の形成位置のずれをさらに抑制することができるようになる。
請求項４の発明によれば、画像の形成位置のずれをさらに抑制することができるようになる。
請求項５の発明によれば、記録材の幅に関する情報を考慮せずに画像情報を解析する場合に比べ、像密度に関する情報をより正確に取得することができるようになる。
【図面の簡単な説明】
【０００７】
【図１】第１の実施形態の画像形成装置を示した図である。
【図２】ＬＥＤプリントヘッドを説明するための図である。
【図３】画像形成ユニットに設けられた感光体ドラムと、転写ロールとにより形成される転写部を拡大して示した図である。
【図４】画像形成ユニットに対応して設けられた画像形成制御部の内部構成を示した図である。
【図５】画像形成ユニットに対応して設けられた画像形成制御部にて実行される処理を説明するための図である。
【図６】画像形成制御部等の他の形態を示した図である。
【図７】画像形成制御部等の他の形態を示した図である。
【図８】画像形成制御部等の他の形態を示した図である。
【発明を実施するための形態】
【０００８】
―第１の実施形態―
以下、添付図面を参照して、本発明の第１の実施形態について詳細に説明する。
図１は、第１の実施形態の画像形成装置５００を示した図である。同図に示すように、画像形成装置５００には、４つの画像形成ユニット１１０Ｙ，１１０Ｍ，１１０Ｃ，１１０Ｋを有し、トナーにより形成された画像を記録材の一例である連続紙Ｐ上に形成する画像形成部１００が設けられている。また、画像形成装置５００には、画像形成部１００により形成された画像を連続紙Ｐに定着する定着装置２００が設けられている。さらに、画像形成装置５００には、回転可能に設けられ、画像形成装置５００内を搬送される連続紙Ｐに張力を付与した状態でこの連続紙Ｐを支持する支持ロール８００が複数設けられている。
【０００９】
なお、定着装置２００は、フラッシュ光を発することでトナーを溶融させ連続紙Ｐ上の画像（トナー像）の定着を行う。また、本実施形態の画像形成装置５００には、４つの画像形成ユニット１１０Ｙ，１１０Ｍ，１１０Ｃ，１１０Ｋの各々に対応するように設けられ、各画像形成ユニット１１０Ｙ，１１０Ｍ，１１０Ｃ，１１０Ｋを制御する画像形成制御部３００が設けられている。
【００１０】
画像形成部１００は、電子写真方式を用い、また、タンデム方式でカラーの画像を連続紙Ｐ上に形成する。ここで、画像形成部１００には、上記のとおり、４つの画像形成ユニット１１０Ｙ，１１０Ｍ，１１０Ｃ，１１０Ｋが設けられている。なお、画像形成ユニット１１０Ｙは、イエロー（Ｙ）色のトナー像を連続紙Ｐに形成し、画像形成ユニット１１０Ｍは、マゼンタ（Ｍ）色のトナー像を連続紙Ｐに形成する。また、画像形成ユニット１１０Ｃは、シアン（Ｃ）色のトナー像を連続紙Ｐに形成し、画像形成ユニット１１０Ｋは、ブラック（Ｋ）色のトナー像を連続紙Ｐに形成する。
【００１１】
本実施形態において、画像形成ユニット１１０Ｙ，１１０Ｍ，１１０Ｃ，１１０Ｋには電子写真用デバイスが配設されている。画像形成ユニット１１０Ｋを一例に説明すると、画像形成ユニット１１０Ｋには、図中矢印方向に回転駆動を行う像保持体の一例としての感光体ドラム１１１、感光体ドラム１１１を帯電する帯電手段として機能する帯電器１１２が設けられている。また、感光体ドラム１１１の回転方向において帯電器１１２よりも下流側には、感光体ドラム１１１の軸方向に沿って配置され感光体ドラム１１１上に静電潜像を形成するＬＥＤプリントヘッド１１３が設けられている。さらに、感光体ドラム１１１の回転方向においてＬＥＤプリントヘッド１１３の下流側には、感光体ドラム１１１上の静電潜像をトナーにより可視像化する現像手段として機能する現像器１１４が設けられている。
【００１２】
また、画像形成ユニット１１０Ｋには、感光体ドラム１１１上に形成されたトナー像（感光体ドラム１１１により保持されたトナー像）を転写部Ｔｐにて連続紙Ｐ上に転写する転写手段として機能する転写ロール１１６が設けられている。なお、本実施形態では、連続紙Ｐに対して感光体ドラム１１１から直接トナー像を転写する場合を説明するが、感光体ドラム１１１と連続紙Ｐとの間に中間転写体などの転写部材を設け、この転写部材を介して連続紙Ｐに対するトナー像の転写を行うこともできる。なお、画像形成ユニット１１０Ｙ，１１０Ｍ，１１０Ｃは、画像形成ユニット１１０Ｋと同様の構成を有しており、画像形成ユニット１１０Ｙ，１１０Ｍ，１１０Ｃにも、上記感光体ドラム１１１等が設けられている。
【００１３】
なお、図示は省略するが、画像形成装置５００には、主制御部が設けられており、この主制御部は、上位に位置するホスト装置から送信される画像データ（画像情報）や制御情報を取得し、これらの情報を画像形成制御部３００の各々に出力する。より具体的には、主制御部は、ホスト装置から例えばページ記述言語データ（ＰＤＬデータ）を取得するとともに、このページ記述言語データをラスタデータ（ページデータ）に変換する。その後、このラスタデータに対して色変換など画像処理を行い、この画像処理の結果としての画像データ（ラスタデータ、Ｙ，Ｍ，Ｃ，Ｋの４色の色材階調データ）を各画像形成制御部３００に出力する。
【００１４】
画像形成制御部３００の各々は、主制御部から送信されてきた画像データに基づき、ＬＥＤプリントヘッド１１３に設けられた各発光素子のオン／オフ制御を行い、画像データに応じた静電潜像を感光体ドラム１１１上に形成する。付言すると、本実施形態では、帯電器１１２により予め定められた電位に帯電された感光体ドラム１１１の表面がＬＥＤプリントヘッド１１３により露光され、感光体ドラム１１１上に静電潜像が形成される。
【００１５】
その後、現像器１１４により感光体ドラム１１１上にトナー像が形成された後、このトナー像は、各感光体ドラム１１１と転写ロール１１６とが互いに対向する転写部Ｔｐにおいて、連続紙Ｐ上に転写される。その後、トナー像が転写された連続紙Ｐは、定着装置２００まで搬送され、このトナー像は連続紙Ｐ上に定着される。なお、連続紙Ｐは、画像形成ユニット１１０Ｋ，画像形成ユニット１１０Ｃ，画像形成ユニット１１０Ｍ，画像形成ユニット１１０Ｙを順に通過していく。この際、連続紙Ｐには、Ｋ色のトナー像、Ｃ色のトナー像、Ｍ色のトナー像、Ｙ色のトナー像が順に載るようになる。
【００１６】
図２は、ＬＥＤプリントヘッド１１３を説明するための図である。
露光手段の一部として機能するＬＥＤプリントヘッド１１３は、図２に示すように、感光体ドラム１１１の軸方向に沿って配置され下方から感光体ドラム１１１への露光を行う。なお、図示は省略するが、ＬＥＤプリントヘッド１１３と感光体ドラム１１１との間には、ＬＥＤプリントヘッド１１３からの光を感光体ドラム１１１の表面に結像させるロッドレンズアレイが設けられている。
【００１７】
ここで、ＬＥＤプリントヘッド１１３は、基板１２０を有している。そして、この基板１２０上には、複数の発光素子１２２が列状に配置された発光素子チップ１２１が複数設けられている。ここで、複数の発光素子チップ１２１は、感光体ドラム１１１の軸方向に沿って配置されるとともに、感光体ドラム１１１の軸方向に並べられた状態で配置されている。なお、発光素子１２２は、ＬＥＤ（Light Emitting Diode）で構成されている。ここで、本実施形態では、ＬＥＤプリントヘッド１１３により、感光体ドラム１１１の軸方向（主走査方向）に沿った１ライン毎に露光が行われ、１ライン毎に感光体ドラム１１１上に静電潜像が形成される。
【００１８】
図３は、画像形成ユニット１１０Ｋに設けられた感光体ドラム１１１と、転写ロール１１６とにより形成される転写部Ｔｐを拡大して示した図である。なお、ここでは、画像形成ユニット１１０Ｋにて起こる現象を説明するが、画像形成ユニット１１０Ｙ，画像形成ユニット１１０Ｍ，画像形成ユニット１１０Ｃにおいても、画像形成ユニット１１０Ｋにて起こる現象と同様の現象が発生する。
【００１９】
ここで、本実施形態では、感光体ドラム１１１と転写ロール１１６との間を連続紙Ｐが通過する際に、感光体ドラム１１１上のトナーが連続紙Ｐ上に転移し、連続紙Ｐ上にトナー像が形成されるようになる。ところで、本実施形態の構成では、感光体ドラム１１１上に形成されるトナー像の像密度が大きいほど、連続紙Ｐが感光体ドラム１１１側に引き寄せられやすくなる。そしてこの場合、連続紙Ｐ上に転移するトナー像の形成ピッチが本来のピッチよりも拡がりやすくなる。
【００２０】
付言すると、感光体ドラム１１１上に形成されるトナー像の像密度が大きいほど、連続紙Ｐ上に転移するトナー像の形成ピッチ（連続紙Ｐ上に転移した後のトナー像の形成ピッチ）が本来のピッチよりも大きくなる。さらに説明すると、感光体ドラム１１１上に形成されるトナー像の像密度が大きくなると、連続紙Ｐ上に転移した１ライン分のトナー像と、副走査方向（連続紙Ｐの搬送方向）にてこのトナー像に隣接する他の１ライン分のトナー像との離間距離が増加するようになる。
【００２１】
そして、このような現象が起こると、画像の形成位置が本来の形成位置からずれるようになってしまう。そしてこの場合、形成される画像の質の低下を招くおそれがある。また、本実施形態の構成にて、上記形成位置のずれが起こると、いわゆる色ずれが発生するおそれもある。具体的に説明すると、例えば、画像形成ユニット１１０Ｋから連続紙Ｐ上に転移するトナー像の形成位置がずれると、画像形成ユニット１１０Ｋにより形成されるトナー像と、画像形成ユニット１１０Ｙ，１１０Ｍ，１１０Ｃにより形成されるトナー像との間で、トナー像の形成位置にずれが生じてしまう。そしてこの場合、いわゆる色ずれが生じるようになる。
【００２２】
そこで、本実施形態では、形成される画像の密度が大きい場合、トナー像の形成ピッチを狭める処理（露光周期を小さくする処理）を行い、転写後のトナー像の形成ピッチが拡がることを抑制するようにしている（トナー像の形成位置がずれることを抑制するようにしている）。以下、この処理を詳細に説明する。
【００２３】
図４は、画像形成ユニット１１０Ｋに対応して設けられた画像形成制御部３００の内部構成を示した図である。なお、画像形成ユニット１１０Ｙ，１１０Ｍ，１１０Ｃに対応して設けられた画像形成制御部３００も、画像形成ユニット１１０Ｋに対応して設けられた画像形成制御部３００と同様に構成されている。
【００２４】
図４に示すように、画像形成制御部３００は、画像データ取得部３１０、画像データ計数部３１１、水平同期信号カウント設定部３１２、水平同期信号生成部３１３、露光制御部３１４を備えている。なお、画像データ取得部３１０、画像データ計数部３１１、水平同期信号カウント設定部３１２、水平同期信号生成部３１３、および、露光制御部３１４の各機能部は、専用の回路により実現することもできるし、プログラム制御されたＣＰＵにより実現することができる。
【００２５】
画像情報取得手段の一例としての画像データ取得部３１０は、主制御部から送信されてきた画像データを受信する。画像データ計数部３１１は、画像データ取得部３１０にて受信された画像データを主走査方向に沿った１ライン毎に解析し、ＬＥＤプリントヘッド１１３にて点灯される（オンされる）発光素子１２２（図２参照）の数を１ライン毎に数える。
【００２６】
付言すると、画像データ計数部３１１は、画像データを主走査方向に沿った１ライン毎に解析し、１ラインあたりにて点灯される発光素子１２２の数を１ライン毎に把握する。さらに説明すると、密度情報取得手段として機能する画像データ計数部３１１は、受信した画像データを主走査方向に沿った１ライン毎に解析し、１ラインあたりにて点灯される発光素子１２２の数を１ライン毎に把握することで、この１ラインの画像データに基づき形成される画像の像密度を取得する。ここで、画像データ計数部３１１により得られた計数値が大きいほど像密度が高く、画像データ計数部３１１により得られた計数値が小さいほど像密度が小さいといえる。
【００２７】
水平同期信号カウント設定部３１２は、画像データ計数部３１１から出力される計数値に基づき、ＬＥＤプリントヘッド１１３により行われる１ライン毎の露光のスタート信号となる水平同期信号の出力タイミングを設定する。付言すると、設定手段として機能する水平同期信号カウント設定部３１２は、画像データ計数部３１１から出力される計数値に基づき、ＬＥＤプリントヘッド１１３により行われる１ライン毎の露光の露光周期（時間間隔）を設定する。
【００２８】
水平同期信号生成部３１３は、水平同期信号カウント設定部３１２にて設定された出力タイミングに基づき水平同期信号を出力する。より具体的には、水平同期信号生成部３１３は、水平同期信号カウント設定部３１２にて設定された出力タイミングとなる度に水平同期信号を出力する。露光制御部３１４は、水平同期信号生成部３１３から水平同期信号を受ける度に、発光信号および画像データをＬＥＤプリントヘッド１１３に出力する。これにより、水平同期信号が出力される度に、１ライン分の静電潜像が感光体ドラム１１１上に形成されるようになる。
【００２９】
図５は、画像形成ユニット１１０Ｋに対応して設けられた画像形成制御部３００にて実行される処理を説明するための図である。
同図の「画像データ」の欄の符号５Ａに示すように、画像データには、ベタ画像が形成される際の画像データのように像密度が大きくなる画像データが含まれることがある。その一方で、符号５Ｂに示すように、画像データには、文字により構成された画像データのように像密度が小さくなる画像データが含まれることがある。ここで本実施形態では、上記のとおり、まず、画像データ計数部３１１にて、画像データが１ライン毎に解析され、ＬＥＤプリントヘッド１１３にて点灯される発光素子１２２の数が数えられ、上記にて説明した計数値が取得される。
【００３０】
そして、本実施形態では、同図の符号５Ｃに示すように計数値が大きい場合（計数値が予め定められた計数値よりも大きい場合、像密度が予め定められた像密度よりも大きい場合）、水平同期信号カウント設定部３１２にて、水平同期信号の出力タイミングを早める設定がなされる。付言すると、水平同期信号カウント設定部３１２にて、水平同期信号の出力間隔を狭める設定がなされる。これにより、同図の符号５Ｄに示すように、水平同期信号生成部３１３から実際に出力される水平同期信号の出力間隔が小さくなる。そしてこの場合、１ライン分の画像と副走査方向にてこの画像に隣接する他の１ライン分の画像との間隔が拡がることが抑制される。
【００３１】
一方、同図の符号５Ｅに示すように計数値が小さい場合（計数値が予め定められた計数値よりも小さい場合、像密度が予め定められた像密度よりも小さい場合）は、水平同期信号カウント設定部３１２にて、水平同期信号の出力タイミングを遅らせる（計数値が大きい場合に比べて出力タイミングを遅らせる）設定がなされる。付言すると、水平同期信号カウント設定部３１２にて、水平同期信号の出力間隔を拡げる設定がなされる。これにより、同図の符号５Ｆに示すように、水平同期信号生成部３１３から実際に出力される水平同期信号の出力間隔が大きくなる。
【００３２】
ここで、符号５Ｅに示したように、計数値が小さくなると、感光体ドラム１１１側への連続紙Ｐの移動も起きにくくなり、連続紙Ｐ上に形成されるトナー像の形成ピッチも本来のピッチに近いものとなる。かかる状況下において、符号５Ｄにて示した出力間隔のままで水平同期信号を出力し続けた場合、本来の形成ピッチよりも小さいピッチで連続紙Ｐ上にトナー像が形成されてしまう。このため、本実施形態では、符号５Ｅに示すように計数値が小さくなった場合には、水平同期信号の出力タイミングを遅らせる処理（水平同期信号の出力タイミングを本来のタイミングに戻す処理）を行う。
【００３３】
―第２の実施形態―
次に、図６（画像形成制御部３００等の他の形態を示した図）を参照し、第２の実施形態の画像形成制御部３００等を説明する。なお、第１の実施形態と同様の機能を有する部分については、第１の実施形態と同一の符号を付し説明を省略する。この第２の実施形態では、連続紙Ｐの用紙幅に関する情報が、幅情報取得手段として機能する用紙幅検出部４００から画像データ計数部３１１へ出力される。そして、画像データ計数部３１１は、ＬＥＤプリントヘッド１１３にて点灯される発光素子１２２（図２参照）の数であって上記用紙幅内にて点灯される発光素子１２２の数を１ライン毎に数える。
【００３４】
第１の実施形態では、ＬＥＤプリントヘッド１１３に含まれる全ての発光素子１２２を母集団として、点灯される発光素子１２２の数を数える。一方で、本実施形態では、画像の形成に実際に寄与する発光素子１２２を母集団として、点灯される発光素子１２２の数を数える。例えば、本実施形態の画像形成装置５００にて搬送可能な最大サイズの連続紙Ｐよりも幅の狭い連続紙Ｐが搬送される場合には、ＬＥＤプリントヘッド１１３に含まれる全ての発光素子１２２が用いられず、一部の発光素子１２２が用いられるようになる。かかる場合、全ての発光素子１２２を母集団として上記計数値を取得してしまうと、像密度を正確に把握することができなくなるおそれがある。
【００３５】
このため、この第２の実施形態では、実際に点灯される可能性のある発光素子１２２（点灯制御の対象となっている発光素子１２２）を母集団として上記計数値を取得するようにする。なお、用紙幅検出部４００は、例えば、不図示のＵＩ（User Interface）を通じてユーザにより入力された用紙幅に基づき用紙幅を把握することができる。また、用紙幅検出部４００は、用紙幅を検出するセンサ（不図示）からの出力に基づき用紙幅を把握することもできる。
【００３６】
−第３の実施形態―
次いで、図７（画像形成制御部３００等の他の形態を示した図）を参照し、第３の実施形態の画像形成制御部３００等を説明する。なお、第１の実施形態、第２の実施形態と同様の機能を有する部分については、第１の実施形態、第２の実施形態と同一の符号を付し説明を省略する。
【００３７】
第３の実施形態では、水平同期信号カウント設定部３１２に対し、帯電器１１２（図１参照）によって帯電が行われる際の帯電電圧の設定値（以下、「電圧設定値」と称する）、および、転写部Ｔｐ（図１参照）に供給される転写電流の設定値（以下、「電流設定値」と称する）が出力される。そして、水平同期信号カウント設定部３１２は、上記計数値、用紙幅などの情報に、電圧設定値、電流設定値の情報をさらに加えて、水平同期信号の出力タイミングを設定する。
【００３８】
ここで、画像の形成ピッチを拡げる要因（連続紙Ｐを感光体ドラム１１１側に引き寄せる要因）としては、感光体ドラム１１１上の像密度の他に、上記電圧設定値および電流設定値を挙げることができる。ここで、電圧設定値および電流設定値が大きいほど連続紙Ｐが感光体ドラム１１１側に引き寄せられ、連続紙Ｐ上における画像の形成ピッチが拡がりやすくなる。
【００３９】
そこで、本実施形態では、水平同期信号カウント設定部３１２に対して、電圧設定値および電流設定値を出力し、電圧設定値および電流設定値も加味して、水平同期信号の出力タイミングを設定する。これにより、本実施形態では、電圧設定値および電流設定値が大きくなる場合には水平同期信号の出力間隔が狭められるようになり、電圧設定値および電流設定値が小さくなる場合には水平同期信号の出力間隔が拡げられるようになる。
【００４０】
―第４の実施形態―
次いで、図８（画像形成制御部３００等の他の形態を示した図）を参照し、第４の実施形態の画像形成制御部３００等を説明する。なお、第１の実施形態〜第３の実施形態と同様の機能を有する部分については、第１の実施形態〜第３の実施形態と同一の符号を付し説明を省略する。
【００４１】
第４の実施形態では、水平同期信号カウント設定部３１２に対し、画像形成装置５００の内部の環状に関する情報である環境情報が出力される。より具体的には、本実施形態の画像形成装置５００の内部には、環境情報取得手段として機能する温度センサ６１０および湿度センサ６２０が設けられており、温度センサ６１０による検知結果（温度情報）および湿度センサ６２０による検知結果（湿度情報）が水平同期信号カウント設定部３１２に対して出力される。そして、水平同期信号カウント設定部３１２は、計数値、用紙幅、電圧設定値、電流設定値に、温度情報および湿度情報をさらに加え、水平同期信号の出力タイミングを設定する。
【００４２】
ここで、例えば湿度が高いほど連続紙Ｐが感光体ドラム１１１側に引き寄せられやすくなり、この場合、上記のとおり、画像の形成ピッチが拡がるようになる。そこで、本実施形態では、水平同期信号カウント設定部３１２に対して、温度情報および湿度情報を出力し、これらの情報も加味して、水平同期信号の出力タイミングを設定する。これにより、本実施形態では、例えば湿度が高い場合には水平同期信号の出力間隔が狭められるようになり、湿度が低い場合には水平同期信号の出力間隔が拡げられるようになる。
【００４３】
なお、上記にて説明した実施形態では、受信した画像データを主走査方向に沿った１ライン毎に解析し、ＬＥＤプリントヘッド１１３にて点灯される（オンされる）発光素子１２２の数を１ライン毎に数える場合を説明した。付言すると、上記にて説明した実施形態では、１ライン毎に計数値を取得する場合を説明した。ところで、このような態様に限らず、例えば、副走査方向に並んだ複数のラインあたりにおける点灯発光素子１２２の数を数え、これを計数値とするようにしてもよい。
【符号の説明】
【００４４】
１１２…帯電器、１１３…ＬＥＤプリントヘッド、１１４…現像器、１１６…転写ロール、３１０…画像データ取得部、３１１…画像データ計数部、３１２…水平同期信号カウント設定部、４００…用紙幅検出部、５００…画像形成装置、６１０…温度センサ、６２０…湿度センサ
【図１】
2013195693.tif 000003
【図２】
2013195693.tif 000004
【図３】
2013195693.tif 000005
【図４】
2013195693.tif 000006
【図５】
2013195693.tif 000007
【図６】
2013195693.tif 000008
【図７】
2013195693.tif 000009
【図８】
2013195693.tif 000010